(57)【要約】【課題】  底板上に載置した被記録媒体後端の位置を規制するエンドフェンスの固定位置のばらつきなどによる底板動作の負荷を軽減して、積載される被記録媒体の後端部の加圧も的確に行われてミスフィードや重送等の発生を防止して操作性にも優れた被記録媒体給送トレイ、及びその被記録媒体給送トレイを備える画像形成装置を提供する。【解決手段】  被記録媒体を載置して装着部１１に出し入れ自在のトレイ本体１と、前記トレイ本体１に設けられた回動支点２と、前記回動支点２を中心に回動して載置した被記録媒体を持ち上げる底板３と、前記底板３上に載置した被記録媒体の先端部の位置規制を行う先端規制部材４と、前記底板３上に載置した被記録媒体の後端の位置を規制して前記先端規制部材４へと押し上げる加圧面５１の可動範囲を規制または規制を解除するエンドフェンス５を備える。【選択図】  図１
2007030995.tif 000002
【特許請求の範囲】
【請求項１】
装着部に出し入れ自在であり、積載した被記録媒体束の最上部から順次給送される被記録媒体給送トレイにおいて、被記録媒体束を積載する底板を備え且つ前記装着部に出し入れ自在のトレイ本体と、前記トレイ本体に設けられた回動支点を中心に回動して積載した被記録媒体束を持ち上げる前記底板と、前記底板上の被記録媒体束の先端部の位置規制を行う先端規制部材と、前記底板上の被記録媒体束の後端の位置を規制して前記先端規制部材へ向けて押し上げる加圧部材を備え且つ該加圧部材の可動範囲を規制または規制を解除するエンドフェンスと、を備えたことを特徴とする被記録媒体給送トレイ。
【請求項２】
請求項１に記載の被記録媒体給送トレイにおいて、前記エンドフェンスは、前記トレイ本体の適所に固定されるエンドフェンス本体と、前記エンドフェンス本体により移動可能に支持されて前記被記録媒体束を加圧面で加圧する加圧部材と、前記加圧部材と前記エンドフェンス本体との間に設けられた弾性部材と、前記加圧部材の可動範囲を規制または規制を解除する阻止部材と、を備えたことを特徴とする被記録媒体給送トレイ。
【請求項３】
請求項２に記載の被記録媒体給送トレイにおいて、前記エンドフェンス本体には、前記加圧部材の一端側を回動可能に保持する回動保持部材を備えることを特徴とする被記録媒体給送トレイ。
【請求項４】
請求項２又は３に記載の被記録媒体給送トレイにおいて、前記阻止部材は、前記加圧部材に設けた規制部材の可動範囲を規制または規制解除することを特徴とする被記録媒体給送トレイ。
【請求項５】
請求項２、３又は４に記載の被記録媒体給送トレイにおいて、前記エンドフェンスの位置変更時の前記加圧部材の可動範囲を規制または規制解除する位置に移動可能に保持する保持部材を備えることを特徴とする被記録媒体給送トレイ。
【請求項６】
請求項１乃至５の何れか一項に記載の被記録媒体給送トレイにおいて、前記加圧部材の加圧面は、前記回動支点を中心に回動する前記底板の回動面に沿う曲面形状を備えることを特徴とする被記録媒体給送トレイ。
【請求項７】
請求項２乃至６の何れか一項に記載の被記録媒体給送トレイを備えた給紙装置において、前記エンドフェンスの位置変更時のみ前記加圧部材の可動範囲を規制する位置に案内する案内手段を備えることを特徴とする給紙装置。
【請求項８】
前記案内手段は、前記装着部への前記トレイ本体の出し入れに連動して前記阻止部材を前記加圧部材の可動範囲を規制状態または規制解除状態に自動的に切り替えることを特徴とする請求項７に記載の給紙装置。
【請求項９】
前記案内手段は、レール部材を備えることを特徴とする請求項７又は８に記載の給紙装置。
【請求項１０】
前記レール部材を、前記装着部の底面に設けたことを特徴とする請求項９に記載の給紙装置。
【請求項１１】
前記レール部材は、前記装着部の前記底面に形成した溝形状部を備えることを特徴とする請求項９又は１０に記載の給紙装置。
【請求項１２】
順次給送する被記録媒体に記録画像を形成する画像形成装置において、記録画像を形成する画像形成部と、請求項７乃至１１の何れか一項に記載の給紙装置を備えたことを特徴とする画像形成装置。
【発明の詳細な説明】
【技術分野】
【０００１】
本発明は、被記録媒体給送トレイ、及びその被記録媒体給送トレイを備える画像形成装置に関し、詳しくは、装着部に出し入れ自在で積み重ねた最上部の被記録媒体を順次給送する被記録媒体給送トレイに関する。
更に、その被記録媒体給送トレイを備えて順次給送する被記録媒体に記録画像を形成するインクジェットプリンタ等の印刷装置や電子写真方法の作像プロセスでトナーの記録画像を形成する複写機、ファクシミリ装置、プリンタあるいはこれ等の複合機等の画像形成装置に関する。
【背景技術】
【０００２】
従来の被記録媒体給送トレイ、及びその被記録媒体給送トレイを備える画像形成装置においては、複数枚の記録用紙の先端、及び後端部を揃えて底板上に積載させ、記録用紙をスプリングなどの弾性力により底板とともに上方に押し上げて、給紙コロと底板との間に挟んだ状態とする。この状態で給紙コロが回転することで、最上位の記録用紙が送り出される。送り出された記録用紙の先端部が分離部で１枚毎に分離されることにより２枚目以下の記録用紙から分離され、記録用紙が１枚毎に次行程へと順次に給送されて搬送される。
しかしながら、上述の従来の給紙装置では、底板から記録用紙を順次に送り出すに従い、記録用紙の先端規制部材と記録用紙の先端部との間隔が徐々に広くなる。
このため、記録用紙が少なくなると、記録用紙の先端部が先端規制部材との間に挟まったり、最上位の記録用紙が給紙コロから離れてしまうなど、ミスフィードや重送が発生し易くなっていた。
このようなミスフィードや重送は、底板上に大量の記録用紙が積載される大容量の給紙装置の場合には、特に発生し易くなっていた。
また、特許文献１などで示されるように、記録用紙の先端規制部材と積載された記録用紙先端との位置関係を常に一定とするために、記録用紙後端部をエンドフェンスに設けられた加圧機構により加圧したり、更に用紙先端規制部を変形させることでエンドフェンスによる加圧機構のばらつきを吸収させるようにしたものがある。
しかし、この場合、エンドフェンスの固定位置のばらつきなど、エンドフェンスに設けられた加圧機構による記録用紙後端の押し上げ作用が十分に働かない状態では前述した不具合は解消されていなかった。
【０００３】
また、エンドフェンスの加圧機構により記録用紙の位置規制面が可動状態にあるとき、エンドフェンスの位置を記録用紙後端面に対して一定の位置に固定することは困難であり、所定の位置よりも記録用紙の押しつけ側へばらついた場合には、記録用紙の先端規制部材とエンドフェンスの位置規制面との間隔が記録用紙長さより短くなる。この場合、底板動作の負荷が大きくなるため底板に積載された記録用紙と給紙コロとの間に必要な加圧力が得られない状態となりミスフィードなどの不具合を発生させる原因となる場合があった。
特に、大容量の給紙装置の場合、記録用紙端部の高さも大きくなるため記録用紙の先端位置規制部材と記録用紙先端部の摺動摩擦による底板動作の負荷量も大きくなる。
従来の画像形成装置の給紙トレイに設けられたエンドフェンスにおいて、記録用紙の加圧面がフリーな状態で構成されている場合、エンドフェンスの位置固定操作時に操作者によっては記録用紙の加圧面を底付き位置まで押しつけられた状態までエンドフェンスを記録用紙に対して押しつけて、位置固定される場合がある。
この場合も、記録用紙の加圧面は、既に底付き位置まで押しつけられているために、それ以上の逃げ範囲を持たない。よってエンドフェンスの固定位置が記録用紙に対して押し込み方向にばらついて固定されている場合、記録用紙の先端位置規制部材と記録用紙の押しつけによる摩擦量の増大により底板の動作負荷が大きくなって、ミスフィードや重送が発生し易くなっていた。
また、給紙トレイに積載される記録用紙が大サイズの場合と小サイズの場合とでは、エンドフェンスの加圧面の動作軌跡が異なる。さらに底板の支点位置によっては積載される記録用紙の高さの変化と共に記録用紙後端が徐々にエンドフェンス側へ張り出してくる。従って、エンドフェンスを位置固定した時点での記録用紙加圧面の位置から、加圧方向と反対方向に対する可動範囲も設けておく必要がある。
しかし、通常、エンドフェンスの固定操作は記録用紙の後端部側面に対してエンドフェンスの加圧面を接触させる位置で固定させるために、常に加圧方向と反対方向への可動範囲が失われた位置でエンドフェンスは固定されていたので、ミスフィードや重送が発生し易くなっていた。
【特許文献１】特開２０００−９５３５６公報
【発明の開示】
【発明が解決しようとする課題】
【０００４】
従来の被記録媒体給送トレイ、及びその被記録媒体給送トレイを備える画像形成装置において、底板上に載置した記録用紙後端の位置を規制するエンドフェンスは固定位置のばらつきなどにより可動範囲の失われることによって底板動作の負荷が大きくなり、底板上に積載される被記録媒体の記録用紙のミスフィードや重送等が発生し易くなると言う問題が発生していた。
そこで本発明の課題は、このような問題点を解決するものである。即ち、底板上に載置した被記録媒体後端の位置を規制するエンドフェンスの固定位置のばらつきなどによる底板動作の負荷を軽減して、積載される被記録媒体の後端部の加圧も的確に行われてミスフィードや重送等の発生を防止して操作性にも優れた被記録媒体給送トレイ、及びその被記録媒体給送トレイを備える画像形成装置を提供することを目的とする。
【課題を解決するための手段】
【０００５】
上記目的を達成するために、請求項１に記載の本発明は、装着部に出し入れ自在であり、積載した被記録媒体束の最上部から順次給送される被記録媒体給送トレイにおいて、被記録媒体束を積載する底板を備え且つ前記装着部に出し入れ自在のトレイ本体と、前記トレイ本体に設けられた回動支点を中心に回動して積載した被記録媒体束を持ち上げる前記底板と、前記底板上の被記録媒体束の先端部の位置規制を行う先端規制部材と、前記底板上の被記録媒体束の後端の位置を規制して前記先端規制部材へ向けて押し上げる加圧部材を備え且つ該加圧部材の可動範囲を規制または規制を解除するエンドフェンスと、を備えたことを特徴とする。
請求項２の発明は、請求項１に記載の被記録媒体給送トレイにおいて、前記エンドフェンスは、前記トレイ本体の適所に固定されるエンドフェンス本体と、前記エンドフェンス本体により移動可能に支持されて前記被記録媒体束を加圧面で加圧する加圧部材と、前記加圧部材と前記エンドフェンス本体との間に設けられた弾性部材と、前記加圧部材の可動範囲を規制または規制を解除する阻止部材と、を備えたことを特徴とする。
請求項３の発明は、請求項２に記載の被記録媒体給送トレイにおいて、前記エンドフェンス本体には、前記加圧部材の一端側を回動可能に保持する回動保持部材を備えることを特徴とする。
請求項４の発明は、請求項２又は３に記載の被記録媒体給送トレイにおいて、前記阻止部材は、前記加圧部材に設けた規制部材の可動範囲を規制または規制解除することを特徴とする。
請求項５の発明は、請求項２、３又は４に記載の被記録媒体給送トレイにおいて、前記エンドフェンスの位置変更時の前記加圧部材の可動範囲を規制または規制解除する位置に移動可能に保持する保持部材を備えることを特徴とする。
請求項６の発明は、請求項１乃至５の何れか一項に記載の被記録媒体給送トレイにおいて、前記加圧部材の加圧面は、前記回動支点を中心に回動する前記底板の回動面に沿う曲面形状を備えることを特徴とする。
【０００６】
請求項７の発明は、請求項２乃至６の何れか一項に記載の被記録媒体給送トレイを備えた給紙装置において、前記エンドフェンスの位置変更時のみ前記加圧部材の可動範囲を規制する位置に案内する案内手段を備えることを特徴とする。
請求項８の発明は、請求項７において、前記案内手段は、前記装着部への前記トレイ本体の出し入れに連動して前記阻止部材を前記加圧部材の可動範囲を規制状態または規制解除状態に自動的に切り替えることを特徴とする。
請求項９の発明は、請求項７又は８において、前記案内手段は、レール部材を備えることを特徴とする。
請求項１０の発明は、請求項９において、前記レール部材を、前記装着部の底面に設けたことを特徴とする。
請求項１１の発明は、請求項９又は１０において、前記レール部材は、前記装着部の前記底面に形成した溝形状部を備えることを特徴とする。
請求項１２の発明は、順次給送する被記録媒体に記録画像を形成する画像形成装置において、記録画像を形成する画像形成部と、請求項７乃至１１の何れか一項に記載の給紙装置を備えたことを特徴とする。
【発明の効果】
【０００７】
本発明によれば、底板上に載置した被記録媒体後端の位置を規制するエンドフェンスの固定位置のばらつきなどによる底板動作の負荷を軽減して積載される被記録媒体の後端部の加圧も確実に行われてミスフィードや重送等の発生を防止して操作性にも優れた被記録媒体給送トレイ、及びその被記録媒体給送トレイを備える画像形成装置を提供することが出来る。
【発明を実施するための最良の形態】
【０００８】
以下、本発明の実施の形態を、図面を参照して詳細に説明する。
図１は、本発明の一実施形態にかかる被記録媒体給送トレイ１０の要部構成を説明する斜視図である。同図において、装着部に出し入れ自在で積み重ねた最上部の被記録媒体を順次給送される被記録媒体給送トレイ１０は、記録用紙等の被記録媒体（Ｐ）を載置して画像形成装置１００の本体や図示しない給紙装置などに配置される装着部１１に図示の矢印（Ａ）方向に出し入れ自在のトレイ本体１と、トレイ本体１に設けられた回動支点２を中心に図示しない付勢機構で矢印（Ｂ）方向に回動して載置した被記録媒体（Ｐ）を持ち上げる底板３と、底板３上に載置した被記録媒体（Ｐ）の先端部の位置規制を行う先端規制部材４と、底板３上に載置した被記録媒体の後端の位置を規制して先端規制部材４へと押し上げる加圧面５１の可動範囲を規制または規制を解除するエンドフェンス５を備えている。なお、底板３を回動支点２を中心に被記録媒体の先端部を上方へ持ち上げる付勢機構は多くの画像形成装置で実施されている公知技術である。
エンドフェンス５は、トレイ本体１の内底面上の所定の固定位置に図示しない固定部材で固定されるエンドフェンス本体５０と、エンドフェンス本体５０によって上下方向へ回動可能に支持されて被記録媒体を一体である加圧面５１で加圧する加圧部材５２と、加圧部材５２とエンドフェンス本体５０との間に設けられた弾性部材５３と、加圧面５１の回動範囲を規制または規制解除する阻止部材５４と、を備えている。
加圧面５１で被記録媒体束の後端位置を規制し、積載された被記録媒体束を弾性部材５３の弾性圧により先端規制部材４へと押し上げる（押し出す）ようになっている。
加圧面５１は、回動支点２を中心に上下方向へ回動する底板３の回動面に沿う曲面形状を備えているから、被記録媒体の後端位置を的確に規制し、底板３の動作の負荷を軽減している。
加圧部材５２の幅方向両端部は、回動保持部材５６としての軸受（回動軸またはヒンジ等）により図示の矢印（Ｃ）方向（上下方向）に回動可能に保持されている。
被記録媒体給送トレイ１０に載置された被記録媒体は、その幅方向位置をサイドフェンス７によって幅規制され、最上部の被記録媒体を底板３で画像形成装置１００の本体に備えられた被記録媒体給送部１５０の給紙コロ１５１に所定の圧力で圧接させる。
このような構成により底板３上に載置された被記録媒体は、被記録媒体が１枚１枚と給送されるに伴い、エンドフェンス５に設けられた加圧部材５２の加圧面５１により先端規制部材４の方向へと押し上げられ、被記録媒体の載置量が減少しても先端規制部材４から被記録媒体の先端部が離れることなく画像形成装置１００の画像形成部１０１へと給送され搬送されて行く。
従って、底板３上に載置した被記録媒体後端の位置を規制するエンドフェンス５の固定位置のばらつきなどによる底板３の動作の負荷を軽減して、積載される被記録媒体の後端部の加圧も的確に行われてミスフィードや重送等の発生を防止して操作性にも優れた被記録媒体給送トレイ１０を提供することが出来る。
【０００９】
図２は、本発明の実施形態例にかかる被記録媒体給送トレイ１０におけるエンドフェンス５の阻止部材５４の動作を説明する斜視図である。また、図３は、本発明の実施形態にかかる被記録媒体給送トレイ１０の装着部１１に出し入れする状態を説明する平面図である。
図２および図３において、阻止部材５４は、エンドフェンス５の位置変更時の加圧部材５２と一体である加圧面５１の可動範囲を規制または規制を解除する位置に保持部材（ガイド穴）５５により図示の矢印（Ｄ）方向に移動可能に保持されて、加圧部材５２の規制部材５７の可動範囲を規制または規制を解除するようになっている。
阻止部材５４は、加圧部材５２の回動範囲内で加圧部材５２の規制部材５７と突き当たる位置と、加圧部材５２の回動に対して干渉しない位置との間を保持部材５５により図示の矢印（Ｄ）方向に移動可能に保持されている。
図４乃至図７に示すように、阻止部材５４は、エンドフェンス本体５０，或いはトレイ底部に設けた幅方向へ延びる長穴としての保持部材５５によって幅方向へ進退自在に支持されると共に、その幅方向位置によって、加圧部材５２の背面の一部から突設された規制部材５７と当接したり、非当接状態になるように構成されている。
装着部１１への収納時におけるトレイ本体の直線移動と、阻止部材５４と組み合わされる案内手段６のレール部材６０による幅方向へのガイドによって、阻止部材５４をトレイ本体１の矢印（Ａ）方向へ着脱動作するだけの操作によって自動的にエンドフェンス５が連結動作される。
案内手段６は、装着部１１の底面１２に設けられたレール部材６０、または溝形状部６１による簡単な構成で操作性にも優れてコンパクトで小型である。
【００１０】
図４は、本発明の実施形態にかかる被記録媒体給送トレイ１０におけるエンドフェンス５の阻止部材５４による加圧部材５２の回動範囲を規制する状態を説明する側面図である。また、図５は、本発明の実施形態にかかる被記録媒体給送トレイ１０におけるエンドフェンス５の阻止部材５４による加圧部材５２の回動範囲を規制する状態を説明する上面図である。
図４および図５において、トレイ本体１を装着部１１から引き出す場合、装着部１１の底面１２に設けられたレール部材６０からの付勢力によって阻止部材５４は、加圧部材５２の規制部材５７と図示の矢印（Ｃ）方向の回動範囲内で突き当たる位置に移動する。
この状態では、加圧部材５２は回動範囲の途中で阻止部材５４に動作を阻止されるため、阻止部材５４によって規制された位置以上に押し込まれることはない。
よって、この状態でエンドフェンス５は加圧面５１と被記録媒体の後端部を突き当てた位置にて位置固定されるため、その後に加圧部材５２は阻止部材５４が解除されればさらに押し込み可能な回動範囲を得られる状態にある。
図６は、本発明の実施形態にかかる被記録媒体給送トレイ１０におけるエンドフェンス５の阻止部材５４による加圧部材５２の回動範囲の規制を解除する状態を説明する側面図である。また、図７は、本発明の実施形態にかかる給送トレイ１０におけるエンドフェンス５の阻止部材５４による加圧部材５２の回動範囲の規制を解除する状態を説明する上面図である。
図６と図７において、トレイ本体１を装着部１１へ収納する場合、装着部１１の底面１２に設けられたレール部材６０からの力によって阻止部材５４は、加圧部材５２の規制部材５７と干渉しない位置に移動する。
従って、加圧部材５２は阻止部材５４による規制から開放された状態となり、本来の回動範囲で動作するようになる。以上のようにエンドフェンス５の固定操作を行うことで、エンドフェンス５が固定された位置での加圧部材５２の位置から加圧方向と反対方向の両方に対して回動できる状態となる。
【００１１】
次に、本発明の被記録媒体給送トレイ１０を備えた画像形成装置の構成および動作を説明する。
図８は、本発明の実施形態にかかる被記録媒体給送トレイ１０を備える画像形成装置１００の要部構成を説明する図である。同図において、順次給送する被記録媒体に記録画像を形成する画像形成装置１０は、記録画像を形成する画像形成部１０１と、これまで説明した被記録媒体給送トレイ１０と、を備えている。
図示する画像形成装置１００は、画像形成部１０１と、画像形成部１０１の下部に位置し被記録媒体を給送する被記録媒体給送部１５０と、画像形成部１０１の上部に位置し被記録媒体を排紙する排紙トレイ１６０等からなるカラープリンタの例である。
画像形成部１０１は、電子写真方式の作像プロセスを用い高速で高品質のトナーの記録画像を被記録媒体に形成するようになっている。ベルト形状の感光体１０２は、駆動ローラ１０３、従動ローラ１０４、一次転写対向ローラ１１０により張架されており、駆動ローラ１０３が図示しない駆動手段によって図示の矢印（Ｅ）方向の反時計方向に回転駆動される。感光体１０２は回転過程で、帯電手段１０５により所定の極性、電位に一様に帯電される。図示しない画像処理部からの画像情報のデジタル画素信号に応じて変調されたレーザービームを走査露光手段１０６で、感光体１０２の表面に照射することによって、感光体１０２上にカラー画像の第１の色成分像に対応した静電潜像を形成する。
感光体１０２上の第１の色成分像に対応した静電潜像は、第１の現像手段１０７であるブラック現像装置１０７（Ｂｋ）により、第１色目トナーのブラックトナーで現像される。
このときシアン現像装置１０７（Ｃ）、マゼンタ現像装置１０７（Ｍ）、イエロー現像装置１（Ｙ）は非作動で、感光体１０２から退避している。この現像手段１０７に一成分現像装置を利用する場合、現像ローラ１０８上にトナー層を形成して、現像動作時、感光体１０２とトナー層を有した現像ローラ１０８を接触させて、トナーを移動させることでトナーの記録画像を感光体１０２上に形成するので、ブラック現像装置１０７（Ｂｋ）のみ感光体１０２と接触して回転駆動し、他の色のシアン現像装置１０７（Ｃ）等は感光体１０２から離間した位置に固定されている。
【００１２】
中間転写ベルト１１１は、駆動ローラ１１２、従動ローラ１１３、二次転写対向ローラ１１５により張架されていて、駆動ローラ１１２が図示しない駆動手段によって回転することで、図示の矢印（Ｆ）方向の時計方向に、感光体１０２と同じ周速度で回転駆動される。感光体１０２上に形成された第１色目のブラックトナーの記録画像は、感光体１０２と中間転写ベルト１１１によって形成された一次転写手段１０９を通過するときに、一次転写手段１０９の一次転写ローラと感光体１０２間に印加される一次転写バイアスにより形成された転写電界によって中間転写ベルト１１１の表面に一次転写される。
ブラックトナーの記録画像の一時転写を終えた感光体１０２の表面は、感光体クリーニングユニット１１６によって清掃される。以下、第１色目のブラックトナーの記録画像の場合と同様に、第２色目のシアントナーの記録画像、第３色目のマゼンタトナーの記録画像、第４色目のイエロートナーの記録画像が順次中間転写ベルト１１１に重ねあわされて一次転写され、フルカラーの記録画像が中間転写ベルト１１１上に形成される。
なお、感光体１０２から中間転写ベルト１１１に各色トナーの記録画像が順次重畳転写されるときには、一次転写バイアスとしてトナーとは逆極性、トナーがマイナス帯電の場合には、プラス極性の転写バイアスが印加される。
二次転写ローラ１１４は、二次転写対向ローラ１１５と対向して配置し、二次転写動作時は、被記録媒体と中間転写ベルト１１１が接触した状態で、それぞれで挟持するように設置され、一方非動作時は中間転写ベルト１１１と接触しないように中間転写ベルト１１１に対して接離可能としている。また、二次転写ローラ１１４は、感光体１０２から中間転写ベルト１１１への第１〜第３色の一次転写工程においては、中間転写ベルト１１１から離間した位置に退避している。
【００１３】
中間転写ベルト１１１上に一次転写されたフルカラートナーの記録画像を被記録媒体へ転写するときは、被記録媒体給送部１５０の被記録媒体給送トレイ１０から給紙コロ１５１により被記録媒体を順次給送して、レジストローラ対１１７によって、中間転写ベルト１１１と二次転写ローラ１１４の二次転写位置に所定のタイミングで被記録媒体を給送するとともに、二次転写バイアスを二次転写ローラ１１４に印加して、全色のトナーの記録画像を一括転写することで達成される。被記録媒体へのフルカラートナーの記録画像の二次転写が終了した後、中間転写ベルト１１１に残留したトナーの二次転写残トナーは、中間転写ベルトクリーニングユニット１１８により清掃される。被記録媒体上に二次転写されたフルカラートナーの記録画像は、定着手段１１９の加熱ローラ１２０と加圧ローラ１２１間に導かれて加熱定着されて排紙ローラ対１２２によって排紙トレイ１６０に排紙されて収納されるようになっている。
従って、底板３上に載置した被記録媒体の後端の位置を規制するエンドフェンス５の固定位置のばらつきなどによる底板３の動作の負荷を軽減して積載される被記録媒体の後端部の加圧も確実に行われてミスフィードや重送等の発生を防止して操作性にも優れて高速で高品質のトナーの記録画像を被記録媒体に形成する被記録媒体給送トレイ１０を備える画像形成装置１００を提供することが出来る。
【図面の簡単な説明】
【００１４】
【図１】本発明の実施形態にかかる被記録媒体給送トレイの要部構成を説明する斜視図である。
【図２】本発明の実施形態例にかかる被記録媒体給送トレイにおけるエンドフェンスの阻止部材の動作を説明する斜視図である。
【図３】本発明の実施形態にかかる被記録媒体給送トレイの装着部に出し入れの状態を説明する平面図である。
【図４】本発明の実施形態にかかる被記録媒体給送トレイにおけるエンドフェンスの阻止部材による加圧部材の回動範囲を規制する状態を説明する側面図である。
【図５】本発明の実施形態にかかる被記録媒体給送トレイにおけるエンドフェンスの阻止部材による加圧部材の回動範囲を規制する状態を説明する上面図である。
【図６】本発明の実施形態にかかる被記録媒体給送トレイにおけるエンドフェンスの阻止部材による加圧部材の回動範囲の規制を解除する状態を説明する側面図である。
【図７】本発明の実施形態にかかる被記録媒体給送トレイにおけるエンドフェンスの阻止部材による加圧部材の回動範囲の規制を解除する状態を説明する上面図である。
【図８】本発明の実施形態にかかる被記録媒体給送トレイを備える画像形成装置の要部構成を説明する図である。
【符号の説明】
【００１５】
１  トレイ本体
２  回動支点
３  底板
４  先端規制部材
５  エンドフェンス
６  案内手段
７  サイドフェンス
１０  被記録媒体給送トレイ
１１  装着部
１２  底面
５０  エンドフェンス本体
５１  加圧面
５２  加圧部材
５３  弾性部材
５４  阻止部材
５５  保持部材
５６  回動保持部材
５７  規制部材
６０  レール部材
６１  溝形状部
１００  画像形成装置
１０１  画像形成部
１０２  感光体
１０３  駆動ローラ
１０４  従動ローラ
１０５  帯電手段
１０６  走査露光手段
１０７  現像手段
１０７（Ｙ）  イエロー現像装置
１０７（Ｍ）  マゼンタ現像装置
１０７（Ｃ）  シアン現像装置
１０７（Ｂｋ）  ブラック現像装置
１０８  現像ローラ
１０９  一次転写手段
１１０  一次転写対向ローラ
１１１  中間転写ベルト
１１２  駆動ローラ
１１３  従動ローラ
１１４  二次転写ローラ
１１５  二次転写対向ローラ
１１６  感光体クリーニングユニット
１１７  レジストローラ
１１８  中間転写ベルトクリーニングユニット
１１９  定着手段
１２０  加熱ローラ
１２１  加圧ローラ
１２２  排紙ローラ対
１５０  被記録媒体給送部
１５１  給紙コロ
１６０  排紙トレイ
【図１】
2007030995.tif 000003
【図２】
2007030995.tif 000004
【図３】
2007030995.tif 000005
【図４】
2007030995.tif 000006
【図５】
2007030995.tif 000007
【図６】
2007030995.tif 000008
【図７】
2007030995.tif 000009
【図８】
2007030995.tif 000010